(57)【特許請求の範囲】
【請求項１】
利用者が所持し、中距離無線通信機能を有する携帯端末装置と、利用者が乗車券を購入する乗車券購入装置と、前記携帯端末装置と中距離無線通信を行なうことにより改札処理を行なう入場側および出場側の自動改札装置とから構成される改札システムであって、
前記乗車券購入装置において、乗車券購入操作を行なう利用者から固有の利用者識別情報および購入乗車券の乗車券情報を取得する第１の手段と、
この第１の手段により取得された利用者識別情報および乗車券情報を対応させて前記入場側の自動改札装置へ送信し保持させる第２の手段と、
前記携帯端末装置において、前記利用者識別情報をバーコード情報に変換して表示する第３の手段と、
前記入場側の自動改札装置において、前記携帯端末装置に表示されたバーコード情報が提示されると、当該バーコード情報を読取る第４の手段と、
この第４の手段により読取られたバーコード情報に基づき、前記乗車券購入装置から送信された乗車券情報の中から対応する利用者識別情報を持つ乗車券情報を取得し、この取得した乗車券情報に基づき当該利用者の入場可否を判定する第５の手段と、
前記第４の手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、前記取得した乗車券情報を当該携帯端末装置に送信し保持させる第６の手段と、
前記出場側の自動改札装置において、前記携帯端末装置に表示されたバーコード情報が提示されると、当該バーコード情報を読取る第７の手段と、
この第７の手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、当該携帯端末装置に保持された乗車券情報を取得し、この取得した乗車券情報に基づき当該利用者の出場可否を判定する第８の手段と、
を具備したことを特徴とする改札システム。
【請求項２】
利用者が所持し、中距離無線通信機能を有する携帯端末装置と、利用者が乗車券を購入する乗車券購入装置と、前記携帯端末装置と中距離無線通信を行なうことにより改札処理を行なう入場側および出場側の自動改札装置とから構成される改札システムであって、
前記乗車券購入装置において、利用者が行なう乗車券購入操作に基づき購入乗車券の乗車券情報を取得する第１の手段と、
前記携帯端末装置との通信により前記第１の手段により取得された乗車券情報を前記携帯端末装置へ送信し保持させる第２の手段と、
前記携帯端末装置において、固有の利用者識別情報をバーコード情報に変換して表示する第３の手段と、
前記入場側の自動改札装置において、前記携帯端末装置に表示されたバーコード情報が提示されると、当該バーコード情報を読取る第４の手段と、
この第４の手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、当該携帯端末装置に保持された乗車券情報を取得し、この取得した乗車券情報に基づき当該利用者の入場可否を判定する第５の手段と、
前記出場側の自動改札装置において、前記携帯端末装置に表示されたバーコード情報が提示されると、当該バーコード情報を読取る第６の手段と、
この第６の手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、当該携帯端末装置に保持された乗車券情報を取得し、この取得した乗車券情報に基づき当該利用者の出場可否を判定する第７の手段と、
を具備したことを特徴とする改札システム。
【請求項３】
利用者が所持し、中距離無線通信機能を有する携帯端末装置と、利用者が乗車券を購入する乗車券購入装置と、前記携帯端末装置と中距離無線通信を行なうことにより改札処理を行なう入場側および出場側の自動改札装置とから構成される改札システムであって、
前記乗車券購入装置は、
乗車券購入操作を行なう利用者から固有の利用者識別情報および購入乗車券の乗車券情報を取得する情報取得手段と、
この情報取得手段により取得された利用者識別情報および乗車券情報を対応させて前記入場側の自動改札装置へ送信する第１の送信手段とを具備し、
前記携帯端末装置は、
利用者識別情報をバーコード情報に変換する変換手段と、
この変換手段により変換されたバーコード情報を表示する表示手段とを具備し、
前記入場側の自動改札装置は、
前記乗車券購入装置から送信された利用者識別情報および乗車券情報を対応させて保持する第１の保持手段と、
前記携帯端末装置に表示されたバーコード情報が提示されると、当該バーコード情報を読取る第１の読取手段と、
この第１の読取手段により読取られたバーコード情報に基づき、前記第１の保持手段に保持された乗車券情報の中から対応する利用者識別情報を持つ乗車券情報を取得し、この取得した乗車券情報に基づき当該利用者の入場可否を判定する第１の判定手段と、
前記第１の読取手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、前記第１の判定手段において取得した乗車券情報を当該携帯端末装置に送信する第２の送信手段とを具備し、
前記携帯端末装置は、さらに、
前記入場側の自動改札装置から送信された乗車券情報を保持する第２の保持手段を具備し、
前記出場側の自動改札装置は、
前記携帯端末装置に表示されたバーコード情報が提示されると、当該バーコード情報を読取る第２の読取手段と、
この第２の読取手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、前記第２の保持手段に保持された乗車券情報を取得し、この取得した乗車券情報に基づき当該利用者の出場可否を判定する第２の判定手段とを具備したことを特徴とする改札システム。
【請求項４】
利用者が所持し、中距離無線通信機能を有する携帯端末装置と、利用者が乗車券を購入する乗車券購入装置と、前記携帯端末装置と中距離無線通信を行なうことにより改札処理を行なう入場側および出場側の自動改札装置とから構成される改札システムであって、
前記乗車券購入装置は、
利用者が行なう乗車券購入操作に基づき購入乗車券の乗車券情報を取得する情報取得手段と、
前記携帯端末装置との通信により前記情報取得手段により取得された乗車券情報を前記携帯端末装置へ送信する第１の送信手段とを具備し、
前記携帯端末装置は、
前記入場側の自動改札装置から送信された乗車券情報を保持する保持手段と、
固有の利用者識別情報をバーコード情報に変換する変換手段と、
この変換手段により変換されたバーコード情報を表示する表示手段とを具備し、
前記入場側の自動改札装置は、
前記携帯端末装置に表示されたバーコード情報が提示されると、当該バーコード情報を読取る第１の読取手段と、
この第１の読取手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、前記保持手段に保持された乗車券情報を取得し、この取得した乗車券情報に基づき当該利用者の入場可否を判定する第１の判定手段とを具備し、
前記出場側の自動改札装置は、
前記携帯端末装置に表示されたバーコード情報が提示されると、当該バーコード情報を読取る第２の読取手段と、
この第２の読取手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、前記保持手段に保持された乗車券情報を取得し、この取得した乗車券情報に基づき当該利用者の出場可否を判定する第２の判定手段とを具備したことを特徴とする改札システム。
【請求項５】
利用者が所持し、中距離無線通信機能を有する携帯端末装置と、利用者が乗車券を購入する乗車券購入装置と、前記携帯端末装置と中距離無線通信を行なうことにより改札処理を行なう入場側および出場側の自動改札装置とから構成される改札システムに使用される入場側の自動改札装置であって、
前記乗車券購入装置から送信される、乗車券購入操作を行なう利用者から取得した固有の利用者識別情報および当該利用者が購入した乗車券の乗車券情報を対応させて保持する保持手段と、
前記携帯端末装置において利用者識別情報を変換して表示されたバーコード情報が提示されると、当該バーコード情報を読取る読取手段と、
この読取手段により読取られたバーコード情報に基づき、前記保持手段に保持された乗車券情報の中から対応する利用者識別情報を持つ乗車券情報を取得し、この取得した乗車券情報に基づき当該利用者の入場可否を判定する判定手段と、
前記読取手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、前記判定手段において取得した乗車券情報を当該携帯端末装置に送信する送信手段と、
を具備したことを特徴とする入場側の自動改札装置。
【請求項６】
利用者が乗車券を購入する乗車券購入装置と、利用者が所持し、かつ、前記乗車券購入装置で購入した乗車券の乗車券情報を保持し、中距離無線通信機能を有する携帯端末装置と、この携帯端末装置と中距離無線通信を行なうことにより改札処理を行なう入場側および出場側の自動改札装置とから構成される改札システムに使用される入場側の自動改札装置であって、
前記携帯端末装置において固有の利用者識別情報を変換して表示されたバーコード情報が提示されると、当該バーコード情報を読取る読取手段と、
この読取手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、当該携帯端末装置に保持された乗車券情報を取得する乗車券情報取得手段と、
この乗車券情報取得手段により取得された乗車券情報に基づき当該利用者の入場可否を判定する判定手段と、
を具備したことを特徴とする入場側の自動改札装置。
【請求項７】
利用者が乗車券を購入する乗車券購入装置と、利用者が所持し、かつ、前記乗車券購入装置で購入した乗車券の乗車券情報を保持し、中距離無線通信機能を有する携帯端末装置と、前記携帯端末装置と中距離無線通信を行なうことにより改札処理を行なう入場側および出場側の自動改札装置とから構成される改札システムに使用される出場側の自動改札装置であって、
前記携帯端末装置において固有の利用者識別情報を変換して表示されたバーコード情報が提示されると、当該バーコード情報を読取る読取手段と、
この読取手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、当該携帯端末装置に保持された乗車券情報を取得する乗車券情報取得手段と、
この乗車券情報取得手段により取得された乗車券情報に基づき当該利用者の出場可否を判定する判定手段と、
を具備したことを特徴とする出場側の自動改札装置。
【発明の詳細な説明】
【技術分野】
【０００１】
本発明の実施形態は、たとえば、空港機関や鉄道機関において利用者が所持する携帯端末装置を用いて出改札処理を行なう改札システムおよびこの改札システムに用いられる自動改札装置に関する。
【背景技術】
【０００２】
最近、たとえば、鉄道機関において、利用者が所持するＩＣカード（Ｆｅｌｉｃａ（登録商標））やＩＣカード機能を内蔵した携帯可能電話機を用いて出改札処理を行なう改札システムが開発され、実際に稼動している。
【０００３】
しかしながら、使用されているＩＣカードは、日本国内以外では普及しておらず、たとえば、海外からの旅行客は旅行のためだけにＩＣカードの購入を行なう必要があるという問題がある。
【先行技術文献】
【特許文献】
【０００４】
【特許文献１】特許第３７６１５０５号公報
【発明の概要】
【発明が解決しようとする課題】
【０００５】
そこで、実施形態は、ＩＣカード機能を内蔵していない携帯端末装置においても装備されている中距離無線通信機能を使用して出改札処理を行なうことができる改札システムおよび自動改札装置を提供することを目的とする。
【課題を解決するための手段】
【０００６】
実施形態に係る改札システムは、利用者が所持し、中距離無線通信機能を有する携帯端末装置と、利用者が乗車券を購入する乗車券購入装置と、前記携帯端末装置と中距離無線通信を行なうことにより改札処理を行なう入場側および出場側の自動改札装置とから構成される改札システムであって、前記乗車券購入装置において、乗車券購入操作を行なう利用者から当該利用者固有の利用者識別情報および当該購入乗車券の乗車券情報を取得する第１の手段と、この第１の手段により取得された利用者識別情報および乗車券情報を対応させて前記入場側の自動改札装置へ送信し保持させる第２の手段と、前記携帯端末装置において、前記利用者識別情報を対応するバーコード情報に変換して表示する第３の手段と、前記入場側の自動改札装置において、前記携帯端末装置に表示されたバーコード情報が提示されると、当該バーコード情報を読取る第４の手段と、この第４の手段により読取られたバーコード情報に基づき、前記乗車券購入装置から送信された乗車券情報の中から対応する利用者識別情報を持つ乗車券情報を取得し、この取得した乗車券情報に基づき当該利用者の入場可否を判定する第５の手段と、前記第４の手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、前記取得した乗車券情報を当該携帯端末装置に送信し保持させる第６の手段と、前記出場側の自動改札装置において、前記携帯端末装置に表示されたバーコード情報が提示されると、当該バーコード情報を読取る第７の手段と、この第７の手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、当該携帯端末装置に保持された乗車券情報を取得し、この取得した乗車券情報に基づき当該利用者の出場可否を判定する第８の手段とを具備している。
【図面の簡単な説明】
【０００７】
【図１】実施形態に係る改札システムの構成を概略的に示す模式図。
【図２】携帯端末装置の構成を概略的に示すブロック図。
【図３】自動券売機の構成を概略的に示すブロック図。
【図４】自動改札装置の構成を概略的に示すブロック図。
【図５】自動券売機において普通乗車券を購入する場合の動作を説明するフローチャート。
【図６】自動券売機において特急券を購入する場合の動作を説明するフローチャート。
【図７】乗車券情報が携帯端末装置内に保持されている場合の入場処理の動作を説明するフローチャート。
【図８】乗車券情報が入場側の自動改札装置内に保持されている場合の入場処理の動作を説明するフローチャート。
【図９】出場処理の動作を説明するフローチャート。
【発明を実施するための形態】
【０００８】
以下、実施形態について図面を参照して説明する。  
なお、以下の説明では、鉄道機関において出改札処理を行なう改札システムに適用した場合について説明するが、これに限定されるものではなく、たとえば、空港の搭乗ゲートや到着ゲート等において出改札処理を行なう改札システムにも同様に適用可能である。
【０００９】
図１は、本実施形態に係る改札システムの構成を概略的に示すものである。この改札システムは、たとえば、鉄道機関において利用者が所持する携帯端末装置を用いて出改札処理を行なうもので、利用者が所持し、携帯電話機能および中距離無線通信機能を有する携帯端末装置（たとえば、スマートフォン、携帯電話機等）１１、中距離無線通信機能を有し、利用者が乗車券（たとえば、入場券、定期券、普通乗車券、料金券、特急券ＳＦバリュー券等）を購入する乗車券購入装置としての自動券売機１２、乗車券の販売管理（乗車券のオンライン販売や予約販売、自動改札装置への乗車券情報の配信処理等）を行なうセンタホスト装置（以降、単にホスト装置と言う）１３、中距離無線通信機能を有し、携帯端末装置１１と中距離無線通信を行なうことにより改札処理を行なう入場側の自動改札装置１４、および出場側の自動改札装置１５から構成されている。なお、ホスト装置１３は、本実施形態では後述するように乗車券購入装置としても機能する。
【００１０】
携帯端末装置１１は、公衆回線１６を介してホスト装置１３と通信を行なうことにより、本改札システムを利用するためのアプリケーション（以降、これを出改札アプリケーションと称す）をダウンロードしたり、乗車券の予約購入が可能となっている。
【００１１】
自動券売機１２は、通信回線１７を介してホスト装置１３と通信を行なうことにより、販売した乗車券の乗車券情報をホスト装置１３へ送信したり、携帯端末装置１１との間で中距離無線通信による通信を行なうことにより、販売した乗車券の乗車券情報を携帯端末装置１１へ送信したりする。
【００１２】
ホスト装置１３は、携帯端末装置１１との間で公衆回線１６を介して通信を行なうことにより、予約販売した乗車券の乗車券情報を携帯端末装置１１へ送信したり、通信回線１８を介して入場側の自動改札装置１４と通信を行なうことにより、自動券売機１２から受取った乗車券情報や予約販売した乗車券の乗車券情報を入場側の自動改札装置１４へ送信したりする。
【００１３】
入場側の自動改札装置１４は、携帯端末装置１１との間で中距離無線通信による通信を行なうことにより、ホスト装置１３から受取った乗車券情報に基づき入場可否の判定を行なったり、当該携帯端末装置１１から乗車券情報を受取って入場可否の判定を行なったりする。  
また、入場側の自動改札装置１４は、通信回線１８を介してホスト装置１３と通信を行なうことにより、処理情報等をホスト装置１３へ送信する。
【００１４】
出場側の自動改札装置１５は、携帯端末装置１１との間で中距離無線通信による通信を行なうことにより、当該携帯端末装置１１から乗車券情報を受取って出場可否の判定を行なう。  
また、出場側の自動改札装置１５は、通信回線１８を介してホスト装置１３と通信を行なうことにより、処理情報等をホスト装置１３へ送信する。
【００１５】
図２は、携帯端末装置１１の構成を概略的に示すものである。この携帯端末装置１１は、たとえば、スマートフォンと称されるもので、操作部２１、表示部２２、送話部２３、受話部２４、送受信用のアンテナ部２５、中距離無線通信用の通信部２６、携帯電話通信用の通信部２７、各種情報を記憶するメモリ２８、これら全体の制御を司る主制御部２９、および、各部に動作電圧を供給する電池電源部３０により構成されている。
【００１６】
操作部２１は、携帯電話機として用いる際の種々の設定を行なったり、電話番号の入力を行なったり、携帯端末装置として用いる場合の各種設定を行なったり、モード設定の変更を指示したりするものである。  
表示部２２は、種々の操作案内を行なったり、後述するＱＲコード（登録商標）（２次元バーコード）を表示したりする。
【００１７】
送話部２３は、マイク等により構成され、携帯電話機として用いる際に利用者により発せられた言葉を音声データに変換して出力する。  
受話部２４は、スピーカ等により構成され、他の機器から供給された受信した音声データを再生してスピーカから出力する。
【００１８】
中距離無線通信用の通信部２６は、アンテナ部２５に接続されていて、本改札システムを利用する際、自動券売機１２や自動改札装置１５との間で中距離無線通信（たとえば、本実施形態では無線ＬＡＮ通信）を行なう。
【００１９】
携帯電話通信用の通信部２７は、アンテナ部２５に接続されていて、携帯電話機として利用する際、公衆回線１６を介してホスト装置１３と通信を行なう。
【００２０】
なお、通信部２６，２７は、携帯電話機として用いられる際と、本改札システムを利用する際とは、メモリ２８に格納されている別々のアプリケーションにより制御されるようになっている。
【００２１】
メモリ２８は、当該携帯端末装置１１を所持する利用者固有の利用者識別情報（以降、ユーザＩＤと称す）があらかじめ格納されているユーザＩＤエリア２８ａ、本改札システムを利用するための出改札アプリケーション、すなわち、ユーザＩＤエリア２８ａ内のユーザＩＤをバーコード情報としてのＱＲコードに変換して表示部２２に表示するための処理プログラム、および、中距離無線通信機能（無線ＬＡＮ通信機能）を実現するための処理プログラムが格納される追加プログラムエリア２８ｂを有している。  
なお、上記ユーザＩＤは、あらかじめ付与される利用者固有の会員番号、あるいは、乗車券の発行時に発番される発行番号、あるいは、特急券の予約購入時に発番される予約番号等を用いることが可能である。
【００２２】
また、追加プログラムエリア２８ｂに格納される出改札アプリケーションは、公衆回線１６を介してホスト装置１３と通信を行なうことによりダウンロードされるようになっている。
【００２３】
図３は、自動券売機１２の構成を概略的に示すものである。この自動券売機１２は、たとえば、乗車券の購入操作を行なったり各種操作案内を表示したりする操作表示部３１、指定された乗車券を発行する券売部３２、ホスト装置１３との間で通信回線１７を介して通信を行なうインタフェイス３３、送受信用のアンテナ部３４、中距離無線通信用の通信部３５、バーコードリーダ（読取手段）３６、および、これら全体の制御を司る主制御部３７により構成されている。
【００２４】
通信部３５は、アンテナ部３４に接続されていて、携帯端末装置１１を用いて改札処理を行なう際、携帯端末装置１１との間で中距離無線通信（無線ＬＡＮ通信）を行なう。
【００２５】
バーコードリーダ３６は、携帯端末装置１１の表示部２２に表示されたＱＲコードが翳されると、そのＱＲコードを光学的に読取るもので、たとえば、図１に示すように操作表示部３１の操作部３１ａに設けられている。
【００２６】
図４は、自動改札装置１４，１５の構成を概略的に示すものである。この自動改札装置１４，１５は、たとえば、利用者（通行者）や駅員などに対して各種案内を行なう表示部４１、通行者の通行を制御する開閉動作可能なドア（図示しない）を駆動するドア機構部４２、ホスト装置１３との間で通信回線１８を介して通信を行なうインタフェイス４３、送受信用のアンテナ部４４、中距離無線通信用の通信部４５、バーコードリーダ（読取手段）４６、および、これら全体の制御を司る主制御部４７により構成されている。
【００２７】
通信部４５は、アンテナ部４４に接続されていて、携帯端末装置１１を用いて改札処理を行なう際、携帯端末装置１１との間で中距離無線通信（無線ＬＡＮ通信）を行なう。
【００２８】
バーコードリーダ４６は、携帯端末装置１１の表示部２２に表示されたＱＲコードが翳されると、そのＱＲコードを光学的に読取るもので、たとえば、図１に示すように自動改札装置１４，１５の本体の上面１４ａ，１５ａに設けられている。
【００２９】
主制御部４７は、ホスト装置１３から送信される乗車券情報を保持（記憶）する内部メモリ４７ａを有している。
【００３０】
次に、上記のような構成において本実施形態に係る改札システムの動作について説明する。
【００３１】
まず、利用者は、本改札システムを利用するに当たり、携帯端末装置１１を、公衆回線１６を介してホスト装置１３と接続することにより、本改札システムを利用するための出改札アプリケーション（ユーザＩＤをバーコード情報としてのＱＲコードに変換して表示するための処理プログラム、および、中距離無線通信機能を実現するための処理プログラム）をメモリ２８の追加プログラムエリア２８ｂにダウンロードする。  
また、これと同時に、外部装置との通信用暗号鍵をもホスト装置１３から取得し、メモリ２８の追加プログラムエリア２８ｂにダウンロードするものとする。  
なお、本実施形態において通信用暗号鍵を用いて暗号化を行なう暗号化方式は、たとえば、ＷＰＡ２−ＰＳＫ（Ｐｒｅ−Ｓｈａｒｅｄ  Ｋｅｙを使用したＡＥＳ暗号）とする。
【００３２】
以下、自動券売機１２において普通乗車券を購入する場合について図５に示すフローチャートを参照して説明する。
【００３３】
利用者は、自動券売機１２の操作表示部３１において、購入希望乗車券の乗車区間を指定し（ステップＳ１）、現金またはクレジットカードにより料金の支払を行なう（ステップＳ２）。
【００３４】
自動券売機１２は、指定された乗車区間に基づき乗車券情報（発駅、着駅、経由駅等）を取得し（ステップＳ３）、操作表示部３１に「ＱＲコードをかざしてください」と表示する（ステップＳ４）。
【００３５】
利用者は、所持する携帯端末装置１１において、出改札アプリケーションを起動することにより、メモリ２８のユーザＩＤエリア２８ａ内のユーザＩＤをＱＲコードに変換して表示部２２に表示し、この表示されたＱＲコードを自動券売機１２のバーコードリーダ３６に翳す（ステップＳ５）。
【００３６】
自動券売機１２は、バーコードリーダ３６に翳されたＱＲコードを読取り、この読取られたＱＲコードに基づき中距離無線通信用識別情報（この実施形態の場合、無線ＬＡＮ用識別ＩＤ（ＥＳＳ−ＩＤ））を生成し、この生成した中距離無線通信用識別情報を用いて、当該ＱＲコードを読取った携帯端末装置１１との中距離無線通信の設定を行なう（ステップＳ６）。
【００３７】
次に、自動券売機１２は、ステップＳ３で取得した乗車券情報を中距離無線通信の設定を行なった携帯端末装置１１へ送信する（ステップＳ７）。このとき、自動券売機１２は、あらかじめホスト装置１３から配信される通信用暗号鍵を用いて乗車券情報を暗号化して携帯端末装置１１へ送信する。
【００３８】
携帯端末装置１１は、自動券売機１２から送信された乗車券情報を受信し、この受信した乗車券情報を復号化してメモリ２８に格納（保持）する（ステップＳ８）。
【００３９】
次に、自動券売機１２において特急券を購入する場合について図６に示すフローチャートを参照して説明する。
【００４０】
利用者は、自動券売機１２の操作表示部３１において、購入希望特急券の料金区間、列車名、指定席等を指定し（ステップＳ１１）、現金またはクレジットカードにより料金の支払を行なう（ステップＳ１２）。
【００４１】
自動券売機１２は、指定された内容に基づき特急券情報（料金区間、列車名、指定席等）を取得し（ステップＳ１３）、操作表示部３１に「ＱＲコードをかざしてください」と表示する（ステップＳ１４）。
【００４２】
利用者は、所持する携帯端末装置１１において、出改札アプリケーションを起動することにより、メモリ２８のユーザＩＤエリア２８ａ内のユーザＩＤをＱＲコードに変換して表示部２２に表示し、この表示されたＱＲコードを自動券売機１２のバーコードリーダ３６に翳す（ステップＳ１５）。
【００４３】
自動券売機１２は、バーコードリーダ３６に翳されたＱＲコードを読取り、この読取られたＱＲコードからユーザＩＤを取得する（ステップＳ１６）。
【００４４】
次に、自動券売機１２は、ステップＳ１３で取得した特急券情報およびステップＳ１６で取得したユーザＩＤを対応させてホスト装置１３へ送信する（ステップＳ１７）。このとき、自動券売機１２は、あらかじめホスト装置１３から配信される通信用暗号鍵を用いて特急券情報およびユーザＩＤを暗号化してホスト装置１３へ送信する。
【００４５】
ホスト装置１３は、自動券売機１２から送信された特急券情報およびユーザＩＤを受信し、この受信した特急券情報およびユーザＩＤを、復号化して内部に保持するとともに、復号化しないで入場側の自動改札装置１４へ送信する（ステップＳ１８）。
【００４６】
入場側の自動改札装置１４は、ホスト装置１３から送信された特急券情報およびユーザＩＤを復号化して受信し、この受信した特急券情報およびユーザＩＤを対応させて内部メモリ４７ａに格納（保持）する（ステップＳ１９）。
【００４７】
なお、上記説明は、自動券売機１２において特急券を購入する場合であるが、従来から公知の予約購入も可能である。すなわち、利用者は、所持する携帯端末装置１１を、公衆回線１６を介してホスト装置１３と接続することにより、ユーザＩＤおよび予約購入希望特急券の料金区間、列車名、指定席等を指定してホスト装置１３へ送信し、クレジットカードによる料金の支払決済を行なう。
【００４８】
ホスト装置１３は、指定された内容に基づきユーザＩＤおよび特急券情報（料金区間、列車名、指定席等）を取得し、この取得した特急券情報およびユーザＩＤを内部に保持するとともに入場側の自動改札装置１４へ送信する。
【００４９】
入場側の自動改札装置１４は、ホスト装置１３から送信された特急券情報およびユーザＩＤを受信し、この受信した特急券情報およびユーザＩＤを対応させて内部メモリ４７ａに格納（保持）する。
【００５０】
次に、乗車券情報が携帯端末装置１１内に保持されている場合の入場処理について図７に示すフローチャートを参照して説明する。
【００５１】
利用者は、所持する携帯端末装置１１において、出改札アプリケーションを起動することにより、メモリ２８のユーザＩＤエリア２８ａ内のユーザＩＤをＱＲコードに変換して表示部２２に表示し、この表示されたＱＲコードを入場側の自動改札装置１４のバーコードリーダ４６に翳す（ステップＳ２１）。
【００５２】
入場側の自動改札装置１４は、バーコードリーダ４６に翳されたＱＲコードを読取り、この読取られたＱＲコードに基づき中距離無線通信用識別情報（この実施形態の場合、無線ＬＡＮ用識別ＩＤ（ＥＳＳ−ＩＤ））を生成し、この生成した中距離無線通信用識別情報を用いて、当該ＱＲコードを読取った携帯端末装置１１との中距離無線通信の設定を行なう（ステップＳ２２）。
【００５３】
携帯端末装置１１は、メモリ２８に保持している乗車券情報を中距離無線通信の設定を行なった入場側の自動改札装置１４へ送信する（ステップＳ２３）。このとき、携帯端末装置１１は、あらかじめメモリ２８の追加プログラムエリア２８ｂに格納された通信用暗号鍵を用いて乗車券情報を暗号化して入場側の自動改札装置１４へ送信する。
【００５４】
入場側の自動改札装置１４は、携帯端末装置１１から送信された乗車券情報を受信し、この受信した乗車券情報を復号化して入場可否の判定を行なう（ステップＳ２４）。
【００５５】
次に、入場側の自動改札装置１４は、入場可否の判定結果を携帯端末装置１１へ送信する（ステップＳ２５）。このとき、入場側の自動改札装置１４は、あらかじめホスト装置１３から配信される通信用暗号鍵を用いて入場可否の判定結果を暗号化して携帯端末装置１１へ送信する。
【００５６】
また、入場側の自動改札装置１４は、このときの入場情報（入場可否の判定結果、乗車券情報等）をホスト装置１３へ送信する。この場合も、入場側の自動改札装置１４は、あらかじめホスト装置１３から配信される通信用暗号鍵を用いて入場情報を暗号化してホスト装置１３へ送信する。
【００５７】
携帯端末装置１１は、入場側の自動改札装置１４から送信された入場可否の判定結果を受信し、この受信した入場可否の判定結果を復号化して、対応する乗車券情報に対応させてメモリ２８に格納（保持）する（ステップＳ２６）。
【００５８】
次に、乗車券情報が入場側の自動改札装置１４内に保持されている場合の入場処理について図８に示すフローチャートを参照して説明する。
【００５９】
利用者は、所持する携帯端末装置１１において、出改札アプリケーションを起動することにより、メモリ２８のユーザＩＤエリア２８ａ内のユーザＩＤをＱＲコードに変換して表示部２２に表示し、この表示されたＱＲコードを入場側の自動改札装置１４のバーコードリーダ４６に翳す（ステップＳ３１）。
【００６０】
入場側の自動改札装置１４は、バーコードリーダ４６に翳されたＱＲコードを読取り、この読取られたＱＲコードに基づき中距離無線通信用識別情報（この実施形態の場合、無線ＬＡＮ用識別ＩＤ（ＥＳＳ−ＩＤ））を生成し、この生成した中距離無線通信用識別情報を用いて、当該ＱＲコードを読取った携帯端末装置１１との中距離無線通信の設定を行なう（ステップＳ３２）。
【００６１】
次に、入場側の自動改札装置１４は、読取ったＱＲコードに基づき、内部メモリ４７ａに保持している乗車券情報（特急券情報）の中から対応するユーザＩＤを持つ乗車券情報を検索し、この検索した乗車券情報を用いて出場可否の判定を行なう（ステップＳ３３）。
【００６２】
次に、入場側の自動改札装置１４は、入場可否の判定結果を含む乗車券情報（特急券情報）を携帯端末装置１１へ送信する（ステップＳ３４）。このとき、入場側の自動改札装置１４は、あらかじめホスト装置１３から配信される通信用暗号鍵を用いて入場可否の判定結果を含む乗車券情報を暗号化して携帯端末装置１１へ送信する。
【００６３】
また、入場側の自動改札装置１４は、このときの入場情報（入場可否の判定結果、乗車券情報等）をホスト装置１３へ送信する。この場合も、入場側の自動改札装置１４は、あらかじめホスト装置１３から配信される通信用暗号鍵を用いて入場情報を暗号化してホスト装置１３へ送信する。
【００６４】
携帯端末装置１１は、入場側の自動改札装置１４から送信された入場可否の判定結果を含む乗車券情報を受信し、この受信した入場可否の判定結果を含む乗車券情報を復号化してメモリ２８に格納（保持）する（ステップＳ３５）。
【００６５】
次に、出場処理について図９に示すフローチャートを参照して説明する。
【００６６】
利用者は、所持する携帯端末装置１１において、出改札アプリケーションを起動することにより、メモリ２８のユーザＩＤエリア２８ａ内のユーザＩＤをＱＲコードに変換して表示部２２に表示し、この表示されたＱＲコードを出場側の自動改札装置１５のバーコードリーダ４６に翳す（ステップＳ４１）。
【００６７】
出場側の自動改札装置１５は、バーコードリーダ４６に翳されたＱＲコードを読取り、この読取られたＱＲコードに基づき中距離無線通信用識別情報（この実施形態の場合、無線ＬＡＮ用識別ＩＤ（ＥＳＳ−ＩＤ））を生成し、この生成した中距離無線通信用識別情報を用いて、当該ＱＲコードを読取った携帯端末装置１１との中距離無線通信の設定を行なう（ステップＳ４２）。
【００６８】
携帯端末装置１１は、メモリ２８に保持している乗車券情報およびこれに対応する入場可否の判定結果を中距離無線通信の設定を行なった出場側の自動改札装置１５へ送信する（ステップＳ４３）。このとき、携帯端末装置１１は、あらかじめメモリ２８の追加プログラムエリア２８ｂに格納された通信用暗号鍵を用いて乗車券情報および入場可否の判定結果を暗号化して出場側の自動改札装置１５へ送信する。
【００６９】
出場側の自動改札装置１５は、携帯端末装置１１から送信された乗車券情報および入場可否の判定結果を受信し、この受信した乗車券情報および入場可否の判定結果を復号化して出場可否の判定を行なう（ステップＳ４４）。
【００７０】
次に、出場側の自動改札装置１５は、出場可否の判定結果を携帯端末装置１１へ送信する（ステップＳ４５）。このとき、出場側の自動改札装置１５は、あらかじめホスト装置１３から配信される通信用暗号鍵を用いて出場可否の判定結果を暗号化して携帯端末装置１１へ送信する。
【００７１】
また、出場側の自動改札装置１５は、このときの出場情報（出場可否の判定結果、乗車券情報等）をホスト装置１３へ送信する。この場合も、出場側の自動改札装置１５は、あらかじめホスト装置１３から配信される通信用暗号鍵を用いて出場情報を暗号化してホスト装置１３へ送信する。
【００７２】
携帯端末装置１１は、出場側の自動改札装置１５から送信された出場可否の判定結果を受信し、この受信した出場可否の判定結果を復号化して、対応する乗車券情報に対応させてメモリ２８に格納（保持）する（ステップＳ４６）。
【００７３】
以上説明したように上記実施形態によれば、ユーザＩＤをＱＲコードに変換して駅務機器（自動券売機、自動改札装置）に渡し、受取った駅務機器が当該ユーザＩＤを使用して接続する携帯端末装置を特定し、駅務機器と中距離無線通信（無線ＬＡＮ）で乗車券情報等の授受を行なうことで、出改札処理を行なうことにより、ＩＣカード機能を内蔵していない携帯端末装置においても装備されている中距離無線通信機能を使用して出改札処理を行なうことができる。
【００７４】
従来、無線ＬＡＮは、中距離無線通信であり、本人を特定して処理を行なう改札システムには向かないので、Ｆｅｌｉｃａ（登録商標）のような近距離無線通信を行なうシステムが用いられてきた。これに対し、本実施形態では、ユーザＩＤをＱＲコードに変換して駅務機器（自動券売機、自動改札装置）に渡し、受取った駅務機器が当該ユーザＩＤを使用して接続する携帯端末装置を特定することにより、駅務機器を利用している利用者以外の携帯端末装置と通信を行なってしまうことを防止できるので、駅務機器は処理すべき携帯端末装置を誤認識することなく確実に特定することができ、携帯端末装置と駅務機器とが中距離無線通信（無線ＬＡＮ）で通信することができる。
【００７５】
なお、前記実施形態では、バーコード情報として２次元バーコード（ＱＲコード）を用いた場合について説明したが、これに限らず、たとえば、１次元バーコードを用いた場合も同様に適用可能である。
以下に本件出願当初の特許請求の範囲に記載された発明を付記する。
［１］
利用者が所持し、中距離無線通信機能を有する携帯端末装置と、利用者が乗車券を購入する乗車券購入装置と、前記携帯端末装置と中距離無線通信を行なうことにより改札処理を行なう入場側および出場側の自動改札装置とから構成される改札システムであって、
前記乗車券購入装置において、乗車券購入操作を行なう利用者から当該利用者固有の利用者識別情報および当該購入乗車券の乗車券情報を取得する第１の手段と、
この第１の手段により取得された利用者識別情報および乗車券情報を対応させて前記入場側の自動改札装置へ送信し保持させる第２の手段と、
前記携帯端末装置において、前記利用者識別情報を対応するバーコード情報に変換して表示する第３の手段と、
前記入場側の自動改札装置において、前記携帯端末装置に表示されたバーコード情報が提示されると、当該バーコード情報を読取る第４の手段と、
この第４の手段により読取られたバーコード情報に基づき、前記乗車券購入装置から送信された乗車券情報の中から対応する利用者識別情報を持つ乗車券情報を取得し、この取得した乗車券情報に基づき当該利用者の入場可否を判定する第５の手段と、
前記第４の手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、前記取得した乗車券情報を当該携帯端末装置に送信し保持させる第６の手段と、
前記出場側の自動改札装置において、前記携帯端末装置に表示されたバーコード情報が提示されると、当該バーコード情報を読取る第７の手段と、
この第７の手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、当該携帯端末装置に保持された乗車券情報を取得し、この取得した乗車券情報に基づき当該利用者の出場可否を判定する第８の手段と、
を具備したことを特徴とする改札システム。
［２］
利用者が所持し、中距離無線通信機能を有する携帯端末装置と、利用者が乗車券を購入する乗車券購入装置と、前記携帯端末装置と中距離無線通信を行なうことにより改札処理を行なう入場側および出場側の自動改札装置とから構成される改札システムであって、
前記乗車券購入装置において、利用者が行なう乗車券購入操作に基づき当該購入乗車券の乗車券情報を取得する第１の手段と、
前記携帯端末装置との通信により前記第１の手段により取得された乗車券情報を前記携帯端末装置へ送信し保持させる第２の手段と、
前記携帯端末装置において、当該携帯端末装置を所持する利用者固有の利用者識別情報を対応するバーコード情報に変換して表示する第３の手段と、
前記入場側の自動改札装置において、前記携帯端末装置に表示されたバーコード情報が提示されると、当該バーコード情報を読取る第４の手段と、
この第４の手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、当該携帯端末装置に保持された乗車券情報を取得し、この取得した乗車券情報に基づき当該利用者の入場可否を判定する第５の手段と、
前記出場側の自動改札装置において、前記携帯端末装置に表示されたバーコード情報が提示されると、当該バーコード情報を読取る第６の手段と、
この第６の手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、当該携帯端末装置に保持された乗車券情報を取得し、この取得した乗車券情報に基づき当該利用者の出場可否を判定する第７の手段と、
を具備したことを特徴とする改札システム。
［３］
利用者が所持し、中距離無線通信機能を有する携帯端末装置と、利用者が乗車券を購入する乗車券購入装置と、前記携帯端末装置と中距離無線通信を行なうことにより改札処理を行なう入場側および出場側の自動改札装置とから構成される改札システムであって、
前記乗車券購入装置は、
乗車券購入操作を行なう利用者から当該利用者固有の利用者識別情報および当該購入乗車券の乗車券情報を取得する情報取得手段と、
この情報取得手段により取得された利用者識別情報および乗車券情報を対応させて前記入場側の自動改札装置へ送信する第１の送信手段とを具備し、
前記携帯端末装置は、
利用者識別情報を対応するバーコード情報に変換する変換手段と、
この変換手段により変換されたバーコード情報を表示する表示手段とを具備し、
前記入場側の自動改札装置は、
前記乗車券購入装置から送信された利用者識別情報および乗車券情報を対応させて保持する第１の保持手段と、
前記携帯端末装置に表示されたバーコード情報が提示されると、当該バーコード情報を読取る第１の読取手段と、
この第１の読取手段により読取られたバーコード情報に基づき、前記第１の保持手段に保持された乗車券情報の中から対応する利用者識別情報を持つ乗車券情報を取得し、この取得した乗車券情報に基づき当該利用者の入場可否を判定する第１の判定手段と、
前記第１の読取手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、前記第１の判定手段において取得した乗車券情報を当該携帯端末装置に送信する第２の送信手段とを具備し、
前記携帯端末装置は、さらに、
前記入場側の自動改札装置から送信された乗車券情報を保持する第２の保持手段を具備し、
前記出場側の自動改札装置は、
前記携帯端末装置に表示されたバーコード情報が提示されると、当該バーコード情報を読取る第２の読取手段と、
この第２の読取手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、前記第２の保持手段に保持された乗車券情報を取得し、この取得した乗車券情報に基づき当該利用者の出場可否を判定する第２の判定手段とを具備したことを特徴とする改札システム。
［４］
利用者が所持し、中距離無線通信機能を有する携帯端末装置と、利用者が乗車券を購入する乗車券購入装置と、前記携帯端末装置と中距離無線通信を行なうことにより改札処理を行なう入場側および出場側の自動改札装置とから構成される改札システムであって、
前記乗車券購入装置は、
利用者が行なう乗車券購入操作に基づき当該購入乗車券の乗車券情報を取得する情報取得手段と、
前記携帯端末装置との通信により前記情報取得手段により取得された乗車券情報を前記携帯端末装置へ送信する第１の送信手段とを具備し、
前記携帯端末装置は、
前記入場側の自動改札装置から送信された乗車券情報を保持する保持手段と、
当該携帯端末装置を所持する利用者固有の利用者識別情報を対応するバーコード情報に変換する変換手段と、
この変換手段により変換されたバーコード情報を表示する表示手段とを具備し、
前記入場側の自動改札装置は、
前記携帯端末装置に表示されたバーコード情報が提示されると、当該バーコード情報を読取る第１の読取手段と、
この第１の読取手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、前記保持手段に保持された乗車券情報を取得し、この取得した乗車券情報に基づき当該利用者の入場可否を判定する第１の判定手段とを具備し、
前記出場側の自動改札装置は、
前記携帯端末装置に表示されたバーコード情報が提示されると、当該バーコード情報を読取る第２の読取手段と、
この第２の読取手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、前記保持手段に保持された乗車券情報を取得し、この取得した乗車券情報に基づき当該利用者の出場可否を判定する第２の判定手段とを具備したことを特徴とする改札システム。
［５］
利用者が所持し、中距離無線通信機能を有する携帯端末装置と、利用者が乗車券を購入する乗車券購入装置と、前記携帯端末装置と中距離無線通信を行なうことにより改札処理を行なう入場側および出場側の自動改札装置とから構成される改札システムに使用される入場側の自動改札装置であって、
前記乗車券購入装置から送信される、乗車券購入操作を行なう利用者から取得した当該利用者固有の利用者識別情報および当該利用者が購入した乗車券の乗車券情報を対応させて保持する保持手段と、
前記携帯端末装置において利用者識別情報を変換して表示されたバーコード情報が提示されると、当該バーコード情報を読取る読取手段と、
この読取手段により読取られたバーコード情報に基づき、前記保持手段に保持された乗車券情報の中から対応する利用者識別情報を持つ乗車券情報を取得し、この取得した乗車券情報に基づき当該利用者の入場可否を判定する判定手段と、
前記読取手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、前記判定手段において取得した乗車券情報を当該携帯端末装置に送信する送信手段と、
を具備したことを特徴とする入場側の自動改札装置。
［６］
利用者が乗車券を購入する乗車券購入装置と、利用者が所持し、かつ、前記乗車券購入装置で購入した乗車券の乗車券情報を保持し、中距離無線通信機能を有する携帯端末装置と、この携帯端末装置と中距離無線通信を行なうことにより改札処理を行なう入場側および出場側の自動改札装置とから構成される改札システムに使用される入場側の自動改札装置であって、
前記携帯端末装置において利用者固有の利用者識別情報を変換して表示されたバーコード情報が提示されると、当該バーコード情報を読取る読取手段と、
この読取手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、当該携帯端末装置に保持された乗車券情報を取得する乗車券情報取得手段と、
この乗車券情報取得手段により取得された乗車券情報に基づき当該利用者の入場可否を判定する判定手段と、
を具備したことを特徴とする入場側の自動改札装置。
［７］
利用者が乗車券を購入する乗車券購入装置と、利用者が所持し、かつ、前記乗車券購入装置で購入した乗車券の乗車券情報を保持し、中距離無線通信機能を有する携帯端末装置と、前記携帯端末装置と中距離無線通信を行なうことにより改札処理を行なう入場側および出場側の自動改札装置とから構成される改札システムに使用される出場側の自動改札装置であって、
前記携帯端末装置において利用者固有の利用者識別情報を変換して表示されたバーコード情報が提示されると、当該バーコード情報を読取る読取手段と、
この読取手段により読取られたバーコード情報に基づき中距離無線通信用識別情報を生成し、この生成した中距離無線通信用識別情報を用いて前記バーコード情報を読取った携帯端末装置との間で中距離無線通信を行なうことにより、当該携帯端末装置に保持された乗車券情報を取得する乗車券情報取得手段と、
この乗車券情報取得手段により取得された乗車券情報に基づき当該利用者の出場可否を判定する判定手段と、
を具備したことを特徴とする出場側の自動改札装置。
【符号の説明】
【００７６】
１１…携帯端末装置、１２…自動券売機（乗車券購入装置）、１３…センタホスト装置（乗車券購入装置）、１４…入場側の自動改札装置、１５…出場側の自動改札装置、１６…公衆回線、１７，１８…通信回線。
【図１】
0005586438.tif 000002
【図２】
0005586438.tif 000003
【図３】
0005586438.tif 000004
【図４】
0005586438.tif 000005
【図５】
0005586438.tif 000006
【図６】
0005586438.tif 000007
【図７】
0005586438.tif 000008
【図８】
0005586438.tif 000009
【図９】
0005586438.tif 000010